(57)【要約】      （修正有）【課題】蛇口上に装着使用する節水装置であり、発光体を設置することにより流水に色を付け洗浄時に面白味を加えるライト効果を備える節水装置のを提供する。【解決手段】ライト効果を備える節水装置は、蛇口の出水口に装着する本体１０を含み、該本体の設置する出水孔道には圧力バルブ４０及びライト台２０を設置し、該ライト台上には発光体２２を設ける。水流の衝撃力を利用し該圧力バルブを下方にプッシュし移動させることにより回路が通電状態になると、発光体は色のある光を投射し、流水に色を付けることができる。また、該圧力バルブとライト台には出水口を縮小し水流を阻止する作用が備えられている故、節水目的を達成する。【選択図】図３
0003145856.tif 000002
【実用新案登録請求の範囲】
【請求項１】
本体、ライト台、圧力バルブ、固定リング、圧力抵抗バネにより構成されるライト効果を備える節水装置において、
該本体は、上下貫通している貫通孔及び電池挿入部を含み、該貫通孔には内ネジ山を設置し、該電池挿入部は下方に向いた状態で内部に電池を配置し、且つ、蓋体によって電池挿入部の開口を被冠しており、並びに、該本体は陽極処理により表面は非導電性であり、  該ライト台は、本体の貫通孔内に固定し、該ライト台上には上下貫通する貫通穴及び最低一つの発光体を設置し、該発光体の電源入力端の一つの接点は上向きの突出形状を成し、もう一つの接点はライト台に接続、該ライト台の底縁周囲には外側方向に突出するフランジを設け、該フランジは該本体の電池蓋と接触状態を形成し、
該圧力バルブは、金属製の中空管体であり、その上端にはフィルタを設け、その底部には金属ネットを設け、該圧力バルブは該本体の貫通孔内に設置し、しかもライト台の上方に位置しており、
該固定リングは、該本体の貫通孔内に固定し、しかも、圧力バルブの上端に位置して、該圧力バルブの最高位置を制限し、
該圧力抵抗バネは、ライト台と圧力バルブの間に設置し、該圧力バルブに対して上方向に持ち上げる作用を生じさせると、圧力バルブの金属ネットとライト台の突出状の接点が分離状態となる故、該圧力抵抗バネと本体の貫通孔の孔壁は接触状態を保持することを特徴とするライト効果を備える節水装置。
【請求項２】
前記ライト台は最低一つの貫通状態の穴柱を設置して、対応する発光体を貫設固定することを特徴とする請求項１記載のライト効果を備える節水装置。
【請求項３】
前記ライト台は陽極処理により表面を非導電性とし、それに設けた穴柱の内面及びフランジの底面においてのみポリッシュ処理を施し導電性を備えさせることを特徴とする請求項２記載のライト効果を備える節水装置。
【請求項４】
前記圧力抵抗バネの下端外径が比較的大きく、しかも貫通孔内壁の内ネジ山に丁度嵌入することを特徴とする請求項１記載のライト効果を備える節水装置。
【請求項５】
前記圧力バルブのフィルタ下方には節水スペーサを設置し、該節水スペーサ上には貫通状態の若干の小孔を配置することを特徴とする請求項１記載のライト効果を備える節水装置。
【請求項６】
前記本体の電池挿入部の蓋体において、その内端には軸管を設けて電池を挿入配置させ、電池を安定的に支えることを特徴とする請求項１記載のライト効果を備える節水装置。
【請求項７】
前記のライト効果を備える節水装置は更に管ジョイントを含み、該管ジョイントの下端を本体の貫通孔内に螺入し、その上端には外ネジ山を設置することを特徴とする請求項１記載のライト効果を備える節水装置。
【考案の詳細な説明】
【技術分野】
【０００１】
本考案はライト効果を備える節水装置に関するものであり、それは蛇口上に装着使用する節水装置で、発光体を設置することにより流水に色を表現し洗浄時に面白味を加える。
【背景技術】
【０００２】
蛇口の出水制御方法の多くは、回転または取っ手を上げる方法によって出水量を制御している。よって使用者が力を使い過ぎて流量が瞬間的に過大となると、水は流し台に強く当たり飛び散り、衣服を濡らしてしまう問題点がある。また、近年、環境保護意識が高まり、各国も揃って水資源節約の政策を打ち出す中、節水装置が出現した。その内の気泡装置は蛇口上に使用する節水装置である。
【０００３】
気泡装置は金属外殻、フィルター、節水スペーサ、及び金属ネットを含む。該フィルターは金属外殻の上端に設置し、その上には若干の小孔を設ける。該金属ネットは金属外殻内の底部に配置する。水は、フィルター、節水スペーサ、金属ネットによって流れを抑えられた後、カットされ不完全に連なる若干の小さな水の束となり、流水量が減少される故、節水の目的を達成し、流速を緩慢にし、水の飛び散りを防ぐ。
【０００４】
私たちがよく目にする噴水は視覚効果を向上させる為、色の付いたライトを装着することにより、色のある水柱を噴出することが可能となり、惹きつけられた人々の足を止め鑑賞させる。本考案者は、蛇口から流れ出る水にも色彩のある光効果を生じさせる為に、実施可能段階にあるライト効果を備える節水装置を研究開発した。
【考案の開示】
【考案が解決しようとする課題】
【０００５】
本考案の主な目的は、主に流水にライト効果を生じさせて洗浄時における面白味を加えるライト効果を備える節水装置を提供することにある。
【０００６】
本考案の次の目的は、水の流速を低下させ、並びに水送り量を減少させて節水目的を達成するライト効果を備える節水装置を提供することにある。
【０００７】
前述の目的を達成する為、本考案のライト効果を備える節水装置は、蛇口の出水口に装着する本体を含み、該本体内には圧力バルブ及びライト台を設置し、該ライト台上には発光体を設ける。水流の衝撃力を利用し該圧力バルブを下方に押して移動させることにより回路を通電し、発光体に色のある光を投射させて流水に色を付ける。
【０００８】
本考案の提供するライト効果を備える節水装置において、該圧力バルブとライト台は水流を阻止する作用を備えており、節水目的を達成する。
【０００９】
本考案に提出したライト効果を備える節水装置を更に明確に描写する為に、以下に図面を組み合わせた詳細説明を行う。
【課題を解決するための手段】
【００１０】
請求項１の考案は、本体、ライト台、圧力バルブ、固定リング、圧力抵抗バネにより構成されるライト効果を備える節水装置において、
該本体は、上下貫通している貫通孔及び電池挿入部を含み、該貫通孔には内ネジ山を設置し、該電池挿入部は下方に向いた状態で内部に電池を配置し、且つ、蓋体によって電池挿入部の開口を被冠しており、並びに、該本体は陽極処理により表面は非導電性であり、  該ライト台は、本体の貫通孔内に固定し、該ライト台上には上下貫通する貫通穴及び最低一つの発光体を設置し、該発光体の電源入力端の一つの接点は上向きの突出形状を成し、もう一つの接点はライト台に接続、該ライト台の底縁周囲には外側方向に突出するフランジを設け、該フランジは該本体の電池蓋と接触状態を形成し、
該圧力バルブは、金属製の中空管体であり、その上端にはフィルタを設け、その底部には金属ネットを設け、該圧力バルブは該本体の貫通孔内に設置し、しかもライト台の上方に位置しており、
該固定リングは、該本体の貫通孔内に固定し、しかも、圧力バルブの上端に位置して、該圧力バルブの最高位置を制限し、
該圧力抵抗バネは、ライト台と圧力バルブの間に設置し、該圧力バルブに対して上方向に持ち上げる作用を生じさせると、圧力バルブの金属ネットとライト台の突出状の接点が分離状態となる故、該圧力抵抗バネと本体の貫通孔の孔壁は接触状態を保持することを特徴とするライト効果を備える節水装置としている。
請求項２の考案は、前記ライト台は最低一つの貫通状態の穴柱を設置して、対応する発光体を貫設固定することを特徴とする請求項１記載のライト効果を備える節水装置としている。
請求項３の考案は、前記ライト台は陽極処理により表面を非導電性とし、それに設けた穴柱の内面及びフランジの底面においてのみポリッシュ処理を施し導電性を備えさせることを特徴とする請求項２記載のライト効果を備える節水装置としている。
請求項４の考案は、前記圧力抵抗バネの下端外径が比較的大きく、しかも貫通孔内壁の内ネジ山に丁度嵌入することを特徴とする請求項１記載のライト効果を備える節水装置としている。
請求項５の考案は、前記圧力バルブのフィルタ下方には節水スペーサを設置し、該節水スペーサ上には貫通状態の若干の小孔を配置することを特徴とする請求項１記載のライト効果を備える節水装置としている。
請求項６の考案は、前記本体の電池挿入部の蓋体において、その内端には軸管を設けて電池を挿入配置させ、電池を安定的に支えることを特徴とする請求項１記載のライト効果を備える節水装置としている。
請求項７の考案は、前記のライト効果を備える節水装置は更に管ジョイントを含み、該管ジョイントの下端を本体の貫通孔内に螺入し、その上端には外ネジ山を設置することを特徴とする請求項１記載のライト効果を備える節水装置としている。
【考案の効果】
【００１１】
考案の提供するライト効果を備える節水装置は、節水効果を達成する他、発光体が投射する色彩のある光により、流水に色を付け、面白味を加えるものである。
【考案を実施するための最良の形態】
【００１２】
本考案はライト効果を備える節水装置について開示するものであり、特に蛇口の出水口に装着する節水装置に係る。図１、図２、図３に示す通り、本装置は、本体１０、ライト台２０、圧力バルブ４０、固定リング５０、及び圧力抵抗バネ３０により構成される。
【００１３】
前記の本体１０は、上下貫通している貫通孔１１、及び電池挿入部１２を含む。前記の貫通孔１１の内壁には内ネジ山１３を設置し、外ネジ山を備える蛇口上に直接螺着して使用する。図４に示す通り、電池挿入部１２の開口は下端に設け、内部にはいくつかの連結する電池１２１を配置し、且つ、蓋体１２２によって電池挿入部１２を被冠する。蓋体１２２の内端には軸管１２３を設けて各電池１２１を内部に配置することにより、電池１２１の支えを安定させている為、電池１２１交換時、電池１２１の落脱することがない。
【００１４】
また、本体１０をアルミプレス材料で作製した場合、電池挿入部１２は貫通孔形状とし、別に密封蓋１２４で一端を密閉する開口を備え、並びに電池１２１の負極と接触する一端を形成する。
【００１５】
ライト台２０上には最低一つの上下貫通する貫通穴２１、及び最低一つの発光体２２を設置する。該発光体２２の電源入力端の一つの接点２２１は上向きの突出形状を成し、別の接点２２２はライト台２０に接続する。本実施例において、該ライト台２０は一つの環体であり、その中央には貫通状の穴柱２３を設置、該穴柱２３は、発光体２２を貫設固定するものである。穴柱２３と環体の間は三つの肋骨体２４により連結して一体となり、各肋骨体２４の間には貫通穴２１を形成する。ライト台２０は設置した外ネジ山によって直接、貫通孔１１の下端から本体１０内に螺入し、本体１０の貫通孔１１内の比較的低い位置に固定する。ライト台２０の底縁周囲には外側に突出するフランジ２５を設け、該フランジ２５の外径は本体１０の貫通孔１１の孔径より大きくする。該フランジ２５が本体１０の底部に密着した時、ライト台２０の装着が定位されたことを示す。
【００１６】
圧力バルブ４０は金属製の中空管体であり、その底部には金属ネット４１を設ける。圧力バルブ４０は本体１０の貫通孔１１内に設置し、しかもライト台２０の上方に位置する。圧力バルブ４０の上端にはフィルタ４２を設け、該フィルタ４２上には貫通状の若干の小孔４２１を配置する。フィルタ４２の下方には節水スペーサ４３を設置し、該節水スペーサ４３上には小孔４３１を配置する。水は該節水スペーサ４３の小孔４３１から流出し、節水効果を達成する。圧力バルブ４０の内部構造は前述の公知の気泡装置と同様である。但し、本考案中の圧力バルブ４０は可動の自由形状であり、水の束の衝撃の下、下方に沈む動作を生じさせる。
【００１７】
固定リング５０は本体１０の貫通孔１１内に固定、並びに、圧力バルブ４０の上端に位置させ、圧力バルブ４０の最高位置を制限する。固定リング５０には外ネジ山５１を設置し、本体１０の貫通孔１１内に螺入し固定する。
【００１８】
圧力抵抗バネ３０はライト台２０と圧力バルブ４０の間に設置し、圧力バルブ４０に対して上方向に持ち上げる作用を生じさせると、圧力バルブ４０の金属ネット４１とライト台２０発光体２２の突出状の接点２２１は分離状態となる。圧力バルブ４０上端の外径が比較的大きい故、圧力抵抗バネ３０の上端を圧して制御するのに十分である。また、圧力抵抗バネ３０の下端の外径は比較的大きく、本体１０の貫通孔１１内壁の内ネジ山１３に嵌入すると、圧力抵抗バネ３０と本体１０間に通電状態が保持され、圧力抵抗バネ３０と圧力バルブ４０間にもまた通電状態が形成される。
【００１９】
前述のライト台２０はアルミプレス材料によっての製作が可能であり、それは陽極処理によって表面を非導電性にする。また該穴柱２３の内面及びフランジ２５の底面は、ポリッシュ処理を経て導電性を備える。本体１０はアルミプレス材料によって製作され、それは陽極処理によって表面を非導電性とする。蓋体１２２は電池挿入部１２を密閉するのと同時に、ライト台２０底部のフランジ２５底面を圧した状態で接触し、発光体２２の接点２２２と電池１２１の正極間には通電状態が形成される。
【００２０】
本体１０を蛇口出口に装着する場合、固定リング５０の上方には漏れ防止環体５２を設置し、本体１０の上方から溢れ出す水を防止する。蛇口の出水口に外ネジ山を備えている場合、本体１０を直接、蛇口の出水管６０上に螺合使用する（未図示）。蛇口を開くと、蛇口の出水管６０から流出する水は圧力バルブ４０に衝撃を与え、圧力バルブ４０を下方向に移動させることにより、圧力バルブ４０の金属ネット４１がライト台２０の発光体２２の突出状態の接点２２１に接触し、回路を通電して発光体２２は発光、図５に示す状態となる。
【００２１】
本装置を使用する場合、圧力バルブ４０のフィルタ４２、節水スペーサ４３には小孔４２１、小孔４３１を備えており、金属ネット４１にはネット孔がある為、流水を通過させることができる。フィルタ４２、節水スペーサ４３、金属ネット４１の設置により、水の流速を緩慢化させることが可能であり、並びに、全体の水流を小水流に分割する故、第一段階の節水作用を達成することができる。水がライト台２０まで流れると、第二の阻止を受け、流速は更に低下し、更なる節水作用を達成する。水の流速が低下し、流し台に対する衝撃力が低下する故、水の飛び散りを防ぐことができる。
【００２２】
発光体２２はＬＥＤとすることが可能であり、発光する光線には色を伴うことを最良とする。発光体２２が発光する色のある光が流水中に照射されることにより、本体１０から流出する水全体が色彩を帯び、洗浄時に面白味を加える。
【００２３】
市販の蛇口の出水管６０は外ネジ山を備えているものもあり、それは図４に示す通り、本体１０を直接蛇口の出水管６０上に螺設して使用できる。蛇口（未図示）の出水管６１の出口に内ネジ山を備えている場合は、図６に示す通り、先ず本体１０の貫通孔１１の上端に管ジョイント５３を螺着しなければならない。管ジョイント５３の上端には外ネジ山５１を設置し、蛇口の出水管６１の内ネジ山と螺合する。
【００２４】
上述する通り、本考案の提供するライト効果を備える節水装置は、節水効果を達成する他、発光体が投射する色彩のある光により、流水に色を付け、面白味を加えるものであり、新規性、実用性を備える設計である。
【図面の簡単な説明】
【００２５】
【図１】本考案の実施例における外観図である。
【図２】図１に示す実施例の分解図である。
【図３】図１に示す実施例の断面図である。
【図４】本考案の実施例を蛇口の出水管上に装着した場合の断面図である。
【図５】図４における圧力バルブが下降し回路を通電状態にした場合の断面図である。
【図６】図１に示す実施例を内ネジ山を備える蛇口の出水管上に装着した場合の断面図である。
【符号の説明】
【００２６】
１０  本体
１１  貫通孔
１２  電池挿入部
１２１  電池
１２２  蓋体
１２３  軸管
１２４  密封蓋
１３  内ネジ山
１４  凹口
１５  防水接着剤または樹脂
２０  ライト台
２１  貫通穴
２２  発光体
２２１  接点
２２２  接点
２３  穴柱
２４  肋骨体
２５  フランジ
３０  圧力抵抗バネ
４０  圧力バルブ
４１  金属ネット
４２  フィルタ
４２１  小孔
４３  節水スペーサ
４３１  小孔
５０  固定リング
５１  外ネジ山
５２  漏れ防止環体
５３  管ジョイント
６０  蛇口の出水管
６１  蛇口の出水管
【図１】
0003145856.tif 000003
【図２】
0003145856.tif 000004
【図３】
0003145856.tif 000005
【図４】
0003145856.tif 000006
【図５】
0003145856.tif 000007
【図６】
0003145856.tif 000008